(57)【要約】【課題】用紙（転写材）とガイドの力積が大きいときでも画像乱れの発生を防止することが可能な用紙搬送案内装置および画像形成装置を提供する。【解決手段】定着装置４０の定着ニップＮに転写材２２を案内するための定着入口ガイド４４を備えた用紙搬送案内装置である。定着入口ガイド４４に転写材２２が通過することによって、画像転写後の転写材２２の帯電極性に対して転写材２２側が同極性となり、少なくとも定着入口ガイド４４の定着ニップＮ側が逆極性となる。【選択図】図１
2016126286.tif 000002
【特許請求の範囲】
【請求項１】
定着装置の定着ニップに転写材を案内するための定着入口ガイドを備えた用紙搬送案内装置であって、
定着入口ガイドに転写材が通過することによって、画像転写後の転写材の帯電極性に対して転写材側が同極性となり、少なくとも定着入口ガイドの定着ニップ側が逆極性となることを特徴とする用紙搬送案内装置。
【請求項２】
同極性となる範囲が、転写材が定着入口ガイドに当接する位置から転写材との摺擦が最大となる位置まであることを特徴とする請求項１に記載の用紙搬送案内装置。
【請求項３】
定着入口ガイドは、定着ニップとの相対位置の決定を行う下流側ガイド部材と、下流側ガイド部材への通紙を案内する上流側ガイド部材とを有することを特徴とする請求項１又は請求項２に記載の用紙搬送案内装置。
【請求項４】
定着装置は、定着部材と加圧部材とこれらを収納する定着フレームとを備え、前記下流側ガイド部材がこの定着フレームに位置決めされていることを特徴とする請求項３に記載の用紙搬送案内装置。
【請求項５】
上流側ガイド部材のガイド面が下流側ガイド部材のガイド面よりも転写材側に突出していることを特徴とする請求項３又は請求項４に記載の用紙搬送案内装置。
【請求項６】
上流側ガイド部材が下流側ガイド部材に位置決めされていることを特徴とする請求項３〜請求項５のいずれか１項に記載の用紙搬送案内装置。
【請求項７】
熱膨張による上流側ガイド部材と下流側ガイド部材との相対的な位置変位を吸収する変位吸収機構を設けたことを特徴とする請求項３〜請求項６のいずれか１項に記載の用紙搬送案内装置。
【請求項８】
変位吸収機構は、上流側ガイド部材と下流側ガイド部材との中心線上に設けられた固定孔と、この固定孔に関して１８０°反対位置に設けられる長孔と、上流側ガイド部材と下流側ガイド部材とに対応する固定孔及び長孔に嵌入されるビス部材とを備えたことを特徴とする請求項７に記載の用紙搬送案内装置。
【請求項９】
定着入口ガイドにおける上流側ガイド部材と下流側ガイド部材とが２種類の材料を１つの部品とする２色成形品にて構成されてなることを特徴とする請求項３〜請求項６のいずれか１項に記載の用紙搬送案内装置。
【請求項１０】
前記定着入口ガイドの表面を導通性とするとともに、この導通性の表面に、転写材の通過するタイミングで外部電源からバイアスを印加して、画像転写後の転写材の帯電極性に対して転写材側が同極性となり、定着入口ガイド側が逆極性となることを特徴とする請求項１に記載の用紙搬送案内装置。
【請求項１１】
前記請求項１〜請求項１０のいずれか１項に記載の用紙搬送案内装置を備えたことを特徴とする画像形成装置。
【発明の詳細な説明】
【技術分野】
【０００１】
本発明は、複写機、プリンタ、ファクシミリ等の画像形成装置、このような画像形成装置に用いる用紙搬送案内装置に関する。
【背景技術】
【０００２】
複写機、プリンタ、ファクシミリ等の画像形成装置では、転写材上のトナーを固着させるための定着装置が使用される。定着装置は、図７に示すように、加熱源１００によって加熱される定着部材１０１と、この定着部材１０１を加圧する加圧部材１０２を備え、定着部材１０１と加圧部材１０２との間に形成された定着ニップＮに転写材(用紙)を通過させることにより、未定着画像を転写材に定着させるものである。
【０００３】
また、定着部材１０１と加圧部材１０２とは、定着フレーム１０３に収納され、この定着フレーム１０３には、定着ニップＮに用紙を案内するための定着入口ガイド１０４が付設されている。この定着入口ガイド１０４に用いる材料は機械的特性と電気的特性を考慮して選定される。
【０００４】
しかしながら、高抵抗の材料を用いると用紙が摺擦して通過する際に定着入口ガイドと電位差を生じて放電による画像乱れが発生する。一方、導電性のある低抵抗のガイドを用いると、高温高湿環境で紙が吸湿して、紙の抵抗が低くなっている場合、トナーを用紙に転写するのに十分な電荷を負荷できず、転写不良が発生する。
【０００５】
従来には、ガイドの少なくとも一部（用紙対向面）を半導電性材料で形成するものがある（特許文献１）。これは、低湿環境下でのハクリ放電や高湿環境下での転写ヌケ等を防止するためである。すなわち、環境に左右されることなく、画像欠陥のない転写画像を得るというものである。
【０００６】
また、中抵抗部材（例えば、表面固有抵抗値１０7〜１０13Ω・ｃｍの樹脂）から構成したものもある（特許文献２）。この場合、転写後の転写材との間の電位差を低く抑え、用紙の放電などによる静電的な影響を解消させる構成となっている。このた、未着のトナー画像の乱れを防止するものである。
【０００７】
また、転写材（用紙）との摺擦によってトナー像と同極性に摩擦しない、つまり逆極性に摩擦帯電する絶縁材料からなるガイドを構成しているものもある（特許文献３）。この場合、ガイドが帯電することによって得られるトナー像の擾乱を防ぐものである。
【発明の概要】
【発明が解決しようとする課題】
【０００８】
ところで、図８（ａ）に示すように、定着入口ガイド１０４に対して転写材Ｐが矢印Ａ方向に搬送されるように案内する場合、トナー画像の転写後の転写材Ｐが負に帯電しているとすると、転写材Ｐが入口ガイド１０４に摺擦して、入口ガイド１０４が負に帯電し、転写材Ｐには正の電荷が発生する。このため、トナーを転写材Ｐに保持している静電力が中和され、トナーの付着力が小さくなる。
【０００９】
図８（ｂ）は、トナーの付着力が小さくなった状態を示し、入口ガイド１０４を通過すると、転写材Ｐが離れるときに剥離放電を生じると、放電が発生した箇所は電位が大きくなり、トナーの付着力が小さくなった箇所のトナーを引きつけて、画像乱れが発生する。
【００１０】
図８（ａ）では転写材Ｐが摺擦するまではマイナスに帯電しているとしたが、これは転写材Ｐが図示しない転写ローラから排出される角度と、転写方式、印加するバイアスによって決まる。また、図８（ａ）（ｂ）に示す現象は置かれる環境によって発生頻度は異なり、入口ガイド１０４が帯電しやすく、雰囲気環境中に放電されにくい低温低湿環境で発生しやすい。
【００１１】
前記特許文献１ではガイドに半導電性材料を用い、特許文献２ではガイドに中抵抗部材を用いていたが、このようなものでは、用紙とガイドの摺擦による帯電状態によっては、用紙とガイドの力積が大きいときに画像乱れが発生するおそれがある。
【００１２】
また、特許文献３では、ガイドに記録材（用紙）との摺擦によってトナー像と逆極性に摩擦帯電する絶縁材料が用いられており、用紙とガイドとが同じ極性を示すことになる。しかしながら、この場合、用紙とガイドの摺擦範囲の限定はなく、例えば、ガイドが負に帯電し、用紙に正の電荷が発生する範囲が生じる場合がある。このため、トナーを転写材Ｐに保持している静電力が中和され、トナーの付着力が小さくなるおそれがある。
【００１３】
本発明は、斯かる事情に鑑み、用紙（転写材）とガイドの力積が大きいときでも画像乱れの発生を防止することが可能な用紙搬送案内装置および画像形成装置を提供しようとするものである。
【課題を解決するための手段】
【００１４】
本発明の用紙搬送案内装置は、定着装置の定着ニップに転写材を案内するための定着入口ガイドを備えた用紙搬送案内装置であって、定着入口ガイドに転写材が通過することによって、画像転写後の転写材の帯電極性に対して転写材側が同極性となり、定着入口ガイドの定着ニップ側が逆極性となるものである。
【発明の効果】
【００１５】
本発明の用紙搬送案内装置では、トナーを転写材に保持している静電力が中和されず、トナーの付着力が小さくならない。このため、定着入口ガイドを通過して、転写材が定着入口ガイドを離れるときに剥離放電が生じても画像の乱れの発生を防止できる。すなわち、画像転写後の転写材の帯電極性に対して転写材側が同極性となり、定着入口ガイドの定着ニップ側が逆極性となることで、転写材のたるみが大きくなって、転写材とガイドの力積が大きくなっても、電気的な中和によるトナーを転写材に保持する静電気力の低下を防ぎ、画像乱れを防止する。
【図面の簡単な説明】
【００１６】
【図１】本発明の画像形成装置の定着装置の簡略断面図である。
【図２】前記画像形成装置の全体構成図である。
【図３】前記画像形成装置の用紙搬送案内装置の定着入口ガイドを示し、（ａ）は分解状態の斜視図であり、（ｂ）は組立状態の側面図である。
【図４】画像乱れが発生しないメカニズムを説明する簡略図である。
【図５】定着入口ガイドと転写材である用紙との関係を示し、（ａ）は用紙と定着入口ガイドとが反発し合う帯電状態の簡略図であり、（ｂ）は用紙と定着入口ガイドとが引き合う帯電状態の簡略図である。
【図６】他の用紙搬送案内装置の定着入口ガイドを示す斜視図である。
【図７】画像形成装置の用紙搬送案内装置の簡略断面図である。
【図８】画像乱れが発生するメカニズムを示し、（ａ）は用紙が定着入口ガイドに摺擦している状態の簡略図であり、（ｂ）は用紙が定着入口ガイドを通過している状態の簡略図である。
【発明を実施するための形態】
【００１７】
以下、図に示す実施例による本発明を実施するための形態を説明する。
【実施例１】
【００１８】
図２は本実施形態に係る画像形成装置の概略図である。画像形成装置はプロセスユニット１０（感光体ドラム１、帯電器２、現像器４等を備える）、中間転写ベルトユニット（駆動兼二次転写ローラ２１、クリーニング対向ローラ１６、一次転写ローラ５、テンションローラ２０、中間転写ベルトクリーニングユニット３２等を備える）、廃トナー収納部３３、転写材２２、給紙搬送ローラ２３、レジストローラ対２４、二次転写ローラ２５、定着装置４０等を備えている。
【００１９】
感光体ドラム１は、円筒形をなし、その軸心廻りに所定の周速で回転する。感光体ドラム１の表面には帯電手段であるローラ形状の帯電器２が圧接されており、感光体ドラム１の回転により従動回転しており、図示しない高圧電源によりＤＣあるいはＤＣにＡＣが重畳されたバイアスが印加されることで感光体ドラム１は帯電されている。なお、感光体の形状はベルト状でもよい。
【００２０】
感光体ドラム１は静電潜像形成手段である露光手段３により画像情報が露光され、静電潜像が形成される。この露光工程はレーザーダイオードを用いたレーザービームスキャナやＬＥＤ（Light Emitting Diode）などで行われる。
【００２１】
現像手段である現像器４は一成分接触現像器であり、図示しない高圧電源から供給される所定の現像バイアスによって、感光体ドラム１の静電潜像をトナー像として顕像化する。現像手段は二成分方式や非接触方式であっても良い。
【００２２】
前記プロセスユニット１０は並列に配設され、フルカラー画像形成時は４個並列に配設される。ブラック、イエロー、マゼンタ、シアンの順で可視像を形成する。各色の可視像が、当接される中間転写ベルト１５に順次重ね転写されることでフルカラー画像が形成される。なお、プロセスユニットの数は４個に限定されず、上記４色に加えて光沢を付与するためのトナーを転写するために５個以上としても良いし、ブラックと任意のカラーの２色で画像を形成するために２個でも良い。
【００２３】
中間転写ベルト１５は、駆動兼二次転写対向ローラ２１、クリーニング対向ローラ１６、一次転写ローラ５、テンションローラ２０にて張架されており、図示しない駆動モータにより駆動兼二次転写対向ローラ２１を介して回転駆動されるようになっている。なおベルト張力としてテンションローラ２０の両側にて、ばねにより加圧している。
【００２４】
一次転写部材としては、導電ブレードや導電スポンジローラ、金属ローラ等が使用可能であるが、本実施形態では金属ローラを用い、感光体ドラム１に対して中間転写ベルト１５の移動方向と、垂直上方向にオフセット配置させている。もちろんオフセット配置させずに感光体の直下に一次転写部材を配置しても良い。
【００２５】
感光体ドラム１に対して一次転写ローラ５に図示しない単独の高圧電源により所定の転写バイアスを共通に印加させることで中間転写ベルト１５を介して転写電界を形成し、感光体ドラム１上のトナー画像を中間転写ベルト１５に転移させる。なお、転写バイアスの値はこれに限定されない。
【００２６】
１７はトナーマークセンサ（ＴＭセンサ）であり、正反射型や拡散型センサによって中間転写ベルト１５上のトナー像濃度、各色位置測定をおこない、画像濃度や色合わせを調整する。
【００２７】
３２は中間転写ベルトクリーニングユニットであり、クリーニングブレード３１により中間転写ベルト１５上の転写残トナーを掻き取ることでクリーニングを行う。クリーニングブレード材質としては、ウレタンゴムを使用する場合がある。クリーニングブレード３１はベルト転写体の搬送方向と直交方向且つベルト面に平行する方向に対し一端を他方よりもベルト搬送方向下流に位置するよう当接させている。
【００２８】
掻き取られた転写残トナーは図示しないトナー搬送経路を通り中間転写体用廃トナー収納部３３に収納される。中間転写ベルト１５のクリーニングニップ部に該当する部分、あるいはクリーニングブレード３１のエッジ部、の少なくとも一方は、組み付け時に潤滑剤を塗布し、クリーニングニップ部におけるブレード捲れ上がりを防止するとともに、クリーニングニップ部にダム層を形成しクリーニング性能を高めている。なお、中間転写ベルト１５を張架している各ローラは、図示しない中間転写ベルトユニット側板によって中間転写ベルト１５の両側より支持されている。
【００２９】
中間転写ベルト１５に用いる材質としては、ＰＶＤＦ（フッ化ビニルデン）、ＥＴＦＥ（エチレン−四フッ化エチレン共重合体）、ＰＩ（ポリイミド）、ＰＣ（ポリカーボネート）、ＴＰＥ（熱可塑性エラストマー）等にカーボンブラック等の導電性材料を分散させ樹脂フィルム状のエンドレスベルトとしたもの等が用いられる。
【００３０】
２５は二次転写ローラである。二次転写ローラ２５はＳＵＳ等の金属芯金上に、導電性材料によって弾性体を被覆すること構成さされている。その材料としては、導電性ローラや電子導電タイプのローラ（ＥＰＤＭ）等が用いられる。
【００３１】
転写材２２は給紙搬送ローラ２３、レジストローラ対２４によって、中間転写ベルト１５表面のトナー画像先端部が二次転写位置に到達するタイミングに合わせて給紙され、図示しない高圧電源により所定の転写バイアスを印加することで中間転写ベルト１５上のトナー画像が転写材２２に転移する。本構成において、給紙は縦型パスをとっている。転写材２２は駆動兼二次転写ローラ２１の曲率によって中間転写ベルト１５から分離され、転写材２２に転写されたトナー画像は定着装置４０によって定着された後排紙される。
【００３２】
定着装置４０は、図１に示すように、加熱源４３によって加熱される定着部材４２と、この定着部材４２を加圧する加圧部材４１を備え、定着部材４２と加圧部材４１との間に形成された定着ニップＮに転写材(用紙)２２を通過させることにより、未定着画像を転写材２２に定着させるものである。定着部材４２及び加圧部材４１とは定着フレーム４５に収納されている。
【００３３】
この場合、加圧部材４１は加圧ローラからなり、定着部材４２は定着ベルトユニットからなる。加圧ローラ（加圧部材４１）と定着ベルトユニット（定着部材４２）とは定着フレーム４５に位置決めされ、定着ベルトユニット（定着部材４２）の内部に加熱源４３としての加熱ヒータ４３が配置されている。
【００３４】
２次転写ローラ２５を通過した転写材(転写材２２)を加圧ローラ４１と定着ベルト４２で形成される定着ニップＮに案内するための定着入口ガイド４４を備えている。定着入口ガイド４４は、定着フレーム４５に位置決めされており、これにより定着ニップＮと定着入口ガイド４４の相対位置が決められる。転写材２２の搬送中に転写材２２に印加している２次転写電流が定着入口ガイド４４を介して２次転写電流がグランドに流れ込む事を防ぐため、樹脂材料や１００MΩ程度の抵抗を介した金属で構成される。
【００３５】
定着フレーム４５には、転写材２２が搬入される搬入口４５ａ及び定着後の転写材２２が搬出される搬出口４５ｂが形成され、この搬入口４５ａに定着入口ガイド４４が付設されている。すなわち、定着フレーム４５は搬入口４５ａを有する下枠５５と、搬出口４５ｂを有する上枠５６と、これらを繋ぐ側枠５７ａ、５７ｂとを有するものである。
【００３６】
このような定着装置４０において、通常は、定着入口ガイド４４は転写材２２が通過、摺擦することで帯電する。転写材２２は、定着入口ガイド４４の帯電状態と転写材２２の帯電状態に影響を受けながら搬送される。
【００３７】
この実施形態の定着入口ガイド４４は、図１と図３に示すように、定着ニップＮとの相対位置の決定を行う下流側ガイド部材４６と、下流側ガイド部材４６への通紙を案内する上流側ガイド部材４７とを有する。図１においては転写材２２が矢印Ａ方向に搬送されるので、定着装置４０側が下流側となり、反定着装置側が上流側となる。
【００３８】
下流側ガイド部材４６は、支持片部４６ａと、この支持片部４６ａの一辺側から立ち上がる起立片部４６ｂとを有し、上流側ガイド部材４７は、支持片部４７ａと、この支持片部４７ａの一辺側から垂下される垂下片部４７ｂとを有するものである。また、下流側ガイド部材４６には、定着フレーム４５に取り付けるための取付片部４６ｃが設けられている。
【００３９】
このため、定着フレーム４５の下枠５５の側枠５７ｂ側の枠部５５ｂに取付片部４６ｃがビス部材４８を介して固定される。この場合、取付片部４６ｃが起立片部４６ｂに所定角度で傾斜されて連設されており、取付片部４６ｃの枠部５５ｂの取付状態で、下枠５５の枠部５５ｂに対して角度θ（鈍角）だけ傾斜した状態となる。この傾斜角度θは、定着ニップＮの位置、転写材２２の搬送方向、搬送速度等によって設定され、定着入口ガイド４４が後述するように、帯電状態となる角度に設定される。
【００４０】
また、下流側ガイド部材４６と上流側ガイド部材４７とは、支持片部４６ａ、４７ａが突き合わされた状態で、変位吸収機構Ｍを介して連結一体化される。変位吸収機構Ｍは、図３に示すように、下流側ガイド部材４６と上流側ガイド部材４７との中心線Ｌ上に設けられた固定孔６１，６２と、この固定孔６１，６２に関して１８０°反対位置に設けられる長孔６３、６４、６５、６６と、下流側ガイド部材４６と上流側ガイド部材４７とに対応する固定孔６１，６２及び長孔６３、６４、６５、６６に嵌入されるビス部材４８とを備えたものである。なお、長孔６３、６４、６５、６６としては、楕円孔形状および長円形状を含むものとする。
【００４１】
初期設定時には、上流側ガイド部材４７の長孔６３と、下流側ガイド部材４６の長孔６５とを基準線Ｌより図３（ａ）での奥側の変位線Ｌ１上に配置するとともに、上流側ガイド部材４７の長孔６４と、下流側ガイド部材４６の長孔６６とを基準線Ｌより図３（ａ）での手前側の変位線Ｌ２上に配置する。
【００４２】
このため、上流側ガイド部材４７と下流側ガイド部材４６とは、基準線Ｌを基準に図３（ｂ）の矢印のように相対的な位置移動が許容される。従って、定着装置４０からの熱を受けて熱膨張する際、図３（ｂ）の矢印のように下流側ガイド部材４６と上流側ガイド部材４７とは同一方向に膨張して、矢印方向の相対的に誤差が生じない。
【００４３】
ところで、下流側ガイド部材４６と上流側ガイド部材４７とは図１に示すように、その用紙対応面(ガイド面)７１，７２との間に段差を生じさせている。すなわち、下流側ガイド部材４６の用紙対応面７１よりも上流側ガイド部材４７の用紙対応面７２が用紙側に突出している。なお、用紙対応面７１，７２との間に段差ｍが生じているが、用紙対応面７１と用紙対応面７２とは平行である。
【００４４】
ところで、図８（ａ）（ｂ）に示すものでは、トナーの付着力が小さくなった箇所のトナーの引付によって、画像乱れが生じる。これに対して、図４に示すようなメカニズムを構成できれば、画像乱れを生じさせないで済む。すなわち、図４において、転写後の転写材２２が負に帯電している場合に、転写材２２が定着入口ガイド４４ａに摺擦することによって、定着入口ガイド４４ａが正に帯電すれば、転写材２２には負の電荷が発生する。このような状態になれば、前記した図８（ａ）の場合と異なり、トナーを転写材２２に保持している静電気が中和されず、トナーの付着力が小さくならない。このような状態では、定着入口ガイド４４ａを通過して、転写材２２が離されたときに剥離放電が生じても画像の乱れが発生しなくなる。
【００４５】
また、定着入口ガイド４４の搬送方向下流側の帯電状態と転写材２２の帯電状態の相互作用により用紙搬送挙動が影響を受ける。この影響について、図５を用いて説明する。
【００４６】
定着入口ガイド４４を設ける目的は、定着ニップＮに転写材２２を安定して案内することである。その上で転写材２２と定着入口ガイド４４のそれぞれの帯電状態によって用紙２２の搬送挙動が影響を受けるため、定着入口ガイド４４の帯電状態も管理する必要がある。
【００４７】
図５（ａ）は転写材２２と定着入口ガイド４４ｂが反発し合う帯電状態になっている場合を示している。このとき転写材２２の先端は定着ニップＮより少しガイド４４ｂ側に最初に到達することになる。図５（ｂ）は転写材２２と定着入口ガイド４４ｂが引き合う帯電状態になっている場合を示している。このときは、定着ニップＮより少しガイド４４ｂから離れる位置に到達することになる。これらは狙いの搬送経路に応じて設定する必要がある。もし、理想とする帯電状態が図４に記載の画像乱れの発生を防ぐ場合と相反する場合には、定着入口ガイド４４を複数の部品にして機能を分離することも可能である。
【００４８】
このため、前記図１に示すような構成が理想となる。すなわち、下流側ガイド部材４６は定着フレーム４５に位置決めされることで、定着ニップＮと定着入口ガイド４４の相対位置が決められ、定着ニップ突入後の紙と定着入口ガイド４４の摺擦力、摺擦位置を精度よく決めることができる。また、上流側ガイド部材４７を通紙面側に高くすることで、通紙した場合に転写材２２が部品の境界に引っかかることを避け、安定して通紙できるような構成にする。
【００４９】
上流側ガイド部材４７を下流側ガイド部材４６に位置決めすることで上流側ガイド部材４７が通紙面側に高くなる構成を安定して実現する。そして、上流側ガイド部材４７と転写材２２の帯電状態が同じで、下流側ガイド部材４６と転写材２２の帯電状態は異なる。これによって、図４に示す理想の状態を作り出せることができる。なお、下流側ガイド部材４６のガイド面７１と上流側ガイド部材４７のガイド面７２との間の段差寸法ｍとしては、上流側ガイド部材４７と転写材２２の帯電状態が同じで、下流側ガイド部材４６と転写材２２の帯電状態となるものであればよい。また、このような帯電状態を構成できれば、上流側ガイド部材４７と下流側ガイド部材４６との材質として、同じであっても相違するものであってもよい。
【００５０】
また、図１に示すような構成では、部品の分割線は、帯電量が転写材２２と定着入口ガイド４４との力積により決まるので、転写材２２が定着入口ガイド４４に初めに当接するところから、摺擦力が最大になる箇所近傍に設定する。すなわち、同極性となる範囲Ｈが、転写材２２が定着入口ガイド４４に当接する位置から転写材２２との摺擦が最大となる位置(上流側ガイド部材４６の下流端)までとなる。
【００５１】
ところで、図１に示す定着入口ガイド４４では、上流側ガイド部材４７と下流側ガイド部材４６との２部材から構成されていたが、上流側ガイド部材４７と下流側ガイド部材４６とが２種類の材料を１つの部品とする２色成形品にて構成されてなるものであってもよい。
【００５２】
二色成形（２色成形）はダブルモールドとも言われ、1台の成形機で2種類の樹脂を熱融着するものである。このため、成形サイクルのバラツキがなく、安定した製品品質を得られる。また、二色成形（2色成形）では通常、異材質の材料を1つの金型から成形する成形方法であるが、同材質の材料を２回の行程に分けて通常、作りづらいとされている無垢素材などを成形することもできる。このため、上流側ガイド部材４７と下流側ガイド部材４６とが一体成形されてなる定着入口ガイド４４において、上流側ガイド部材４７と下流側ガイド部材４６とが同一材質のものとしたり、異なる材質のものとしたりできる。
【００５３】
次に、図６は、定着入口ガイド４４の他の実施形態を示し、この場合、定着入口ガイド４４の表面が、外部電源４９からのバイアスを印加することによって、帯電状態とる導電性のコーティング層５０を設けている。すなわち、転写材の通過するタイミングで外部電源４９からバイアスを印加して、画像転写後の転写材の帯電極性に対して転写材側が同極性となり、定着入口ガイド側が逆極性となるように制御する。
【００５４】
図６に示す定着入口ガイド４４によれば、安定して図４に示す帯電状態とすることができる。すなわち、定着入口ガイド４４に転写材２２が通過することによって、画像転写後の転写材２２の帯電極性に対して転写材２２側が同極性となり、定着入口ガイド４４側が逆極性となるように、安定して制御（設定）できる。
【００５５】
なお、本発明は上述の実施例に限定されるものではなく、本発明の要旨を逸脱しない範囲で種々の変更を加え得ることは勿論である。本発明に係る画像形成装置は、電子写真複写機、レーザービームプリンタ、ファクシミリ装置等がある。
【００５６】
本発明の転写材２２には、一般にコピー等に用いられる普通紙、ＯＨＰシート、カード、ハガキといった９０Ｋ紙、坪量約１００ｇ／ｍ2相当以上の厚紙、封筒等の用紙よりも熱容量が大きないわゆる特殊シート等を含むものである。
【００５７】
画像転写後の転写材２２の帯電極性としては、負に帯電する場合や正に帯電する場合がある。このため、画像転写後の転写材２２が負に帯電した場合、定着入口ガイド４４に転写材２２が通過することによって、転写材２２側が負に帯電し、定着入口ガイド４４の定着ニップＮ側(下流側ガイド部材４６)が正に帯電することになる。また、画像転写後の転写材２２が正に帯電した場合、定着入口ガイド４４に転写材２２が通過することによって、転写材２２側が正に帯電し、定着入口ガイド４４の定着ニップＮ側(下流側ガイド部材４６)が負に帯電することになる。
【００５８】
図１の定着入口ガイド４４では、上流側ガイド部材４７と下流側ガイド部材との間に段差が設けられていたが、図４に示すような帯電状態を構成できれば、このよう段差を設ける必要がない。図４では、画像転写後の転写材２２の帯電極性としては、負に帯電する場合を示したが、段差が設けらないものであっても、画像転写後の転写材２２の帯電極性として、正に帯電するものであってもよい。
【００５９】
以上説明した本発明の実施形態の構成と作用・効果をまとめると、以下の通りである。
【００６０】
(構成１)
定着装置４０の定着ニップＮに転写材２２を案内するための定着入口ガイド４４を備えた用紙搬送案内装置であって、定着入口ガイド４４に転写材２２が通過することによって、画像転写後の転写材２２の帯電極性に対して転写材２２側が同極性となり、少なくとも定着入口ガイド４４の定着ニップＮ側が逆極性となることを特徴とする用紙搬送案内装置。
【００６１】
構成１によれば、画像転写後の転写材２２の帯電極性に対して転写材２２側が同極性となり、定着入口ガイド４４の定着ニップＮ側が逆極性となる。このため、トナーを転写材２２に保持している静電力が中和されず、トナーの付着力が小さくならない。定着入口ガイド４４を通過して、転写材２２が定着入口ガイド４４を離れるときに剥離放電が生じても画像の乱れの発生を防止できる。すなわち、画像転写後の転写材２２の帯電極性に対して転写材２２側が同極性となり、定着入口ガイド４４の定着ニップ側が逆極性となることで、転写材２２のたるみが大きくなって、転写材２２とガイドの力積が大きくなっても、電気的な中和によるトナーを転写材に保持する静電気力の低下を防ぎ、画像乱れを防止する。
【００６２】
（構成２）
同極性となる範囲が、転写材２２が定着入口ガイド４４に当接する位置から転写材２２との摺擦が最大となる位置までの前記構成１の用紙搬送案内装置。
【００６３】
構成２によれば、画像転写後の転写材２２の帯電極性に対して転写材２２側が同極性となり、定着入口ガイド４４の定着ニップＮ側が逆極性となる帯電状態が安定する。
【００６４】
（構成３）
定着入口ガイド４４は、定着ニップＮとの相対位置の決定を行う下流側ガイド部材４６と、下流側ガイド部材４６への通紙を案内する上流側ガイド部材４７とを有する前記構成１又は構成２に記載の用紙搬送案内装置。
【００６５】
構成３によれば、上流側ガイド部材４７にて用紙搬送案内機能を発揮でき、また、下流側ガイド部材４６にて、画像乱れ防止機能を発揮できる。すなわち、用紙搬送案内機能と画像乱れ防止機能を分離して効果を得ることができる。このため、安定して、画像転写後の転写材２２の帯電極性に対して転写材側を同極性とすることができ、画像乱れを防止する機能を有効に発揮できる。
【００６６】
（構成４）
定着装置４９は、定着部材４２と加圧部材４１とこれらを収納する定着フレーム４５とを備え、前記下流側ガイド部材４６がこの定着フレーム４５に位置決めされている前記構成３に記載の用紙搬送案内装置。
【００６７】
構成４によれば、定着ニップＮとの位置を精度よく決めることで、定着ニップＮ突入後の転写材２２と定着入口ガイド４４の摺擦力、摺擦位置を精度よく決めることができる。
【００６８】
（構成５）
上流側ガイド部材４６のガイド面７１が下流側ガイド部材４７のガイド面７２よりも転写材側に突出している前記構成３又は構成４に記載の用紙搬送案内装置。
【００６９】
構成５によれば、２部品で構成した場合に通紙しても引っかからないようにすることができる。
【００７０】
（構成６）
上流側ガイド部材４７が下流側ガイド部材４６に位置決めされている前記構成３〜構成５のいずれかに記載の用紙搬送案内装置。
【００７１】
構成６によれば、上流側ガイド部材４７のガイド面７２と下流側ガイド部材４６のガイド面７１との段差の設定が容易となる。
【００７２】
（構成７）
熱膨張による上流側ガイド部材４７と下流側ガイド部材４６との相対的な位置変位を吸収する変位吸収機構Ｍを設けた前記構成３〜構成６のいずれかに記載の用紙搬送案内装置。
【００７３】
構成７によれば、定着装置４０からの熱を受けて熱膨張した際にも下流側の部品と上流側の部品が同じ方向に熱膨張し、相対位置を精度よく出すことができる。
【００７４】
（構成８）
変位吸収機構は、上流側ガイド部材４７と下流側ガイド部材４６との中心線上に設けられた固定孔６１，６２と、この固定孔６１，６２に関して１８０°反対位置に設けられる長孔６３，６４，６５，６６と、上流側ガイド部材４７と下流側ガイド部材４６とに対応する固定孔６１，６２及び長孔６３，６４，６５，６６に嵌入されるビス部材４８とを備えた前記構成７に記載の用紙搬送案内装置。
【００７５】
構成８によれば、変位吸収機構Ｍを簡単な構成で形成することができる。
【００７６】
（構成９）
上流側ガイド部材４７と下流側ガイド部材４６とが２種類の材料を１つの部品とする２色成形品にて構成されてなる前記構成３〜構成６のいずれかの用紙搬送案内装置。
【００７７】
構成９によれば、１部品化することによって、部品点数を少なくして、組み立て性の向上、位置決めの精度向上を図ることができる。
【００７８】
（構成１０）
前記定着入口ガイド４４の表面を導通性とするとともに、この導通性の表面に、転写材２２の通過するタイミングで外部電源４３からバイアスを印加して、画像転写後の転写材２２の帯電極性に対して転写材２２側が同極性となり、定着入口ガイド側が逆極性となる前記構成１に記載の用紙搬送案内装置。
【００７９】
構成１０によれば、定着入口ガイド４４の帯電状態を安定して制御でき、画像乱れを防止する機能の信頼性の向上を図ることができる。
【００８０】
（構成１１）
前記構成１〜構成１０のいずれか１に記載の用紙搬送案内装置を備えた画像形成装置である。
【００８１】
構成１１によれば、転写材２２のたるみが大きくなって、転写材２２とガイド４４の力積が大きくなっても、電気的な中和によるトナーを転写材２２に保持する静電気力の低下を防ぎ、画像乱れを防止する。
【符号の説明】
【００８２】
Ｍ    変位吸収機構
Ｎ    定着ニップ
２２  転写材
４０  定着装置
４１  加圧部材
４２  定着部材
４４  定着入口ガイド
４５  定着フレーム
４６  下流側ガイド部材
４７  上流側ガイド部材
６１，６２  固定孔
６３、６４、６５、６６  長孔
７１，７２  ガイド面
【先行技術文献】
【特許文献】
【００８３】
【特許文献１】特開平４−１８５８０号公報
【特許文献２】特開平３−２５１８８５号公報
【特許文献３】特開２００１−２２１９１号公報
【図１】
2016126286.tif 000003
【図２】
2016126286.tif 000004
【図３】
2016126286.tif 000005
【図４】
2016126286.tif 000006
【図５】
2016126286.tif 000007
【図６】
2016126286.tif 000008
【図７】
2016126286.tif 000009
【図８】
2016126286.tif 000010